(57)【特許請求の範囲】
【請求項１】
複数枚の媒体を、鉛直方向に沿った姿勢でセットする媒体トレイと、
前記媒体と接触しつつ回転することにより前記媒体トレイにセットされた前記媒体をピックアップする給送ローラーと、
前記給送ローラーにより前記媒体トレイからピックアップされた前記媒体を、最上位の一枚に分離する分離機構と、
前記給送ローラーに対して鉛直下方に位置し、鉛直方向に沿った姿勢の前記媒体に記録を行う記録部と、
前記分離機構に対して鉛直下方に位置するとともに前記分離機構と前記記録部の間に設けられ、前記媒体をニップして前記記録部に向けて搬送する搬送ローラー対と、を備え、
前記分離機構によって前記媒体が一枚に分離された後に、前記給送ローラーによる前記媒体のピックアップ動作が解除され、該媒体の先端が自重により前記搬送ローラー対のニップ位置まで移動する構成であり、
前記分離機構は、前記媒体トレイにセットされる前記媒体の先端の下流側への移動を規制する規制部を備え、前記給送ローラーが前記媒体を上流側に向けて給送することにより、最上位の媒体が前記規制部を乗り越えて分離が行われる構成であり、
前記給送ローラーが、前記媒体の給送方向において前記規制部と重なる部位を有し、前記媒体の給送経路を側視して前記給送ローラーと前記規制部との間で前記媒体が通る隙間が形成される、
ことを特徴とする記録装置。
【請求項２】
請求項１に記載の記録装置において、
前記給送ローラーは、前記媒体と接触して該媒体を送る円弧部と、前記媒体と接しない平坦部と、を備える、
ことを特徴とする記録装置。
【請求項３】
請求項１に記載の記録装置において、
前記給送ローラーは、駆動源の動力を受けて回転するものであり、最上位の前記媒体が前記規制部を乗り越えるまで前記駆動源を駆動し、該媒体が前記規制部を乗り越えた後に前記駆動源の駆動を停止する構成である、
ことを特徴とする記録装置。
【請求項４】
請求項１から請求項３のいずれか一項に記載の記録装置において、
前記規制部は、前記媒体トレイからピックアップされた最上位の媒体の先端が該規制部を乗り越えるように案内する傾斜面を備える、
ことを特徴とする記録装置。
【請求項５】
複数枚の媒体を、鉛直方向に沿った姿勢でセットする媒体トレイと、
前記媒体と接触しつつ回転することにより前記媒体トレイにセットされた前記媒体をピックアップする給送ローラーと、
前記給送ローラーにより前記媒体トレイからピックアップされた前記媒体を、最上位の一枚に分離する分離機構と、
前記給送ローラーに対して鉛直下方に位置し、鉛直方向に沿った姿勢の前記媒体に記録を行う記録部と、
前記分離機構に対して鉛直下方に位置するとともに前記分離機構と前記記録部の間に設けられ、前記媒体をニップして前記記録部に向けて搬送する搬送ローラー対と、を備え、
前記分離機構は、前記媒体トレイの下流側に設けられるとともに、前記媒体が通る給送間口を閉じるように付勢された間口規制部を備え、前記給送ローラーが前記媒体を下流側に向けて給送することにより、最上位の媒体が前記間口規制部に対する付勢力に抗して該間口規制部と前記給送間口との間を通り、分離が行われ、
前記分離機構によって前記媒体が一枚に分離された後に、前記給送ローラーによる前記媒体のピックアップ動作が解除され、該媒体の先端が自重により前記搬送ローラー対のニップ位置まで移動する構成である、
ことを特徴とする記録装置。
【請求項６】
請求項１から請求項５のいずれか一項に記載の記録装置において、
前記搬送ローラー対の駆動を停止させた状態で、前記媒体の先端を前記搬送ローラー対のニップ部に移動させる、
ことを特徴とする記録装置。
【発明の詳細な説明】
【技術分野】
【０００１】
本発明は、記録装置に関するものである。
【背景技術】
【０００２】
記録部において媒体に記録を行うインクジェット式プリンター等の記録装置において、前記媒体としての用紙は、給送ローラー等の給送手段に対して揺動可能に設けられたホッパーの用紙載置面に、複数枚重ねて傾斜姿勢で支持された状態でセットされる。  
そして、前記ホッパーが揺動して最上位の用紙を前記給送ローラーに当接させるとともに、該給送ローラーが回転することによって、前記最上位の用紙が媒体搬送方向下流に向けて一枚ずつ給送されるように構成されている。
【０００３】
また、前記給送ローラーと前記記録部の間には、例えば媒体をニップして搬送する搬送ローラー対等の用紙搬送手段が設けられており、前記給送ローラーは、用紙の先端が前記搬送ローラー対にニップされて該搬送ローラー対による搬送が行われるまで前記用紙を給送する。  
このような記録装置としては、例えば特許文献１または特許文献２に記載の記録装置がある。
【先行技術文献】
【特許文献】
【０００４】
【特許文献１】特開２０１０−１６８２２１号公報
【特許文献２】特開２０１０−２３９４９号公報
【発明の概要】
【発明が解決しようとする課題】
【０００５】
ところで、前記給送ローラーにより用紙が給送される際には、用紙のスキューが発生する場合がある。  
このため、前記給送ローラーから前記搬送ローラー対に用紙が受け渡される際、搬送方向に対する用紙の姿勢を正す、所謂「スキュー取り」が行われるが、特許文献１または特許文献２のように、前記搬送ローラー対に用紙が受け渡されるまで前記給送ローラーが用紙を押えて給送する構成では、前記給送ローラーによる押えの影響を受けて、スキュー取りの際に用紙の挙動が安定しない虞がある。  
加えて、前記用紙のスキューは、前記給送ローラーによる給送距離が長いほど発生し易い。
【０００６】
上記問題点に鑑み、本発明の目的は、搬送ローラー対によるニップ位置に用紙が移動するまでの間における給送ローラーの用紙との接触を少なくして、給送される用紙のスキューの発生を抑制または回避するとともに、用紙の姿勢を安定させて搬送することができる記録装置を提供することにある。
【課題を解決するための手段】
【０００７】
上記課題を解決するため、本発明の第１の態様に係る記録装置は、複数枚の媒体を、鉛直姿勢または媒体搬送方向上流側から下流側に向けて下る傾斜姿勢でセットする媒体トレイと、前記媒体と接触しつつ回転することにより前記媒体トレイにセットされた前記媒体をピックアップする給送ローラーと、前記給送ローラーにより前記媒体トレイからピックアップされた前記媒体を、最上位の一枚に分離する分離機構と、前記媒体に記録を行う記録部と、前記分離機構と前記記録部の間に設けられ、前記媒体をニップして前記記録部に向けて搬送する搬送ローラー対と、を備え、前記分離機構によって前記媒体が一枚に分離された後に、前記給送ローラーによる前記媒体のピックアップ動作が解除され、該媒体の先端が自重により前記搬送ローラー対のニップ位置まで移動するように構成されていることを特徴とするものである。
【０００８】
本態様によれば、前記分離機構によって前記媒体を一枚に分離した後、前記媒体の先端の前記搬送ローラー対のニップ位置までの移動を、前記給送ローラーによらず、該媒体の自重により行うので、該給送ローラーによる給送距離を少なくすることができる。すなわち、搬送ローラー対によるニップ位置に用紙が移動するまでの間における給送ローラーの用紙との接触が少なくなる。このことにより、前記給送ローラーの給送による媒体のスキューの発生を抑制または回避することができる。
【０００９】
本発明の第２の態様に係る記録装置は、第１の態様において、前記分離機構は、前記媒体トレイにセットされる前記媒体の先端の下流側への移動を規制する規制部を備え、前記給送ローラーが前記媒体を上流側に向けて給送することにより、最上位の媒体が前記規制部を乗り越えて分離が行われる構成であることを特徴とするものである。
【００１０】
本態様によれば、前記給送ローラーによる給送は、前記規制部により規制されている前記媒体の先端が、該規制部を乗り越えられる分だけ上流側に向けて給送するだけでよい。したがって、前記給送ローラーによる給送距離をより少なくすることができる。  
また、前記規制部によって、前記媒体トレイにセットされる媒体の先端の下流側への移動を規制するので、前記媒体トレイの姿勢が鉛直姿勢または急な傾斜姿勢な場合でも、セットされた媒体の先端が下方側に崩れるように移動する、所謂「雪崩れ現象」が生じる虞を抑制または回避することができる。
【００１１】
本発明の第３の態様に係る記録装置は、第１のまたは第２の態様において、前記給送ローラーは、前記媒体と接触して該媒体を送る円弧部と、前記媒体と接しない平坦部と、を備えることを特徴とするものである。
【００１２】
本態様によれば、前記給送ローラーによる前記媒体トレイからの媒体のピックアップ動作と、該ピックアップ動作の解除を構成簡単にして実現することができる。
【００１３】
本発明の第４の態様に係る記録装置は、第２の態様において、前記給送ローラーは、駆動源の動力を受けて回転するものであり、最上位の前記媒体が前記規制部を乗り越えるまで前記駆動源を駆動し、該媒体が前記規制部を乗り越えた後に前記駆動源の駆動を停止する構成であることを特徴とするものである。
【００１４】
本態様によれば、最上位の前記媒体が前記規制部を乗り越えるまでの間だけ前記駆動源を駆動するので、給送ローラーによる給送距離をより少なくすることができる。
【００１５】
本発明の第５の態様に係る記録装置は、第４の態様において、前記給送ローラーは、揺動軸を中心に揺動する揺動アームに保持されており、前記揺動軸は、前記給送ローラーよりも下流側に設けられていることを特徴とするものである。
【００１６】
本態様によれば、前記給送ローラーが前記媒体を上流側に向けて給送するときに、前記揺動アームと媒体とが角度（くさび角）を成して接することにより、前記給送ローラーの前記媒体に対する押し付け力をくさび効果により得ることができる。
【００１７】
本発明の第６の態様に係る記録装置は、第４の態様において、前記給送ローラーは、揺動軸を中心に揺動する揺動アームに保持されており、前記揺動アームは、前記給送ローラーが前記媒体に近づく方向に付勢する付勢部材を備えることを特徴とするものである。
【００１８】
本態様によれば、前記付勢部材により、前記給送ローラーの前記媒体に対する押し付け力を補完することができる。
【００１９】
本発明の第７の態様に係る記録装置は、第２の態様において、前記規制部は、前記媒体トレイからピックアップされた最上位の媒体の先端が該規制部を乗り越えるように案内する傾斜面を備えることを特徴とするものである。
【００２０】
本態様によれば、前記最上位の媒体の先端が該規制部に引っ掛かる虞を抑制し、該媒体をスムースに乗り越えさせることができる。
【００２１】
本発明の第８の態様に係る記録装置は、第１の態様において、前記分離機構は、前記媒体トレイの下流側に設けられるとともに、前記媒体が通る給送間口を閉じるように付勢された間口規制部を備え、前記給送ローラーが前記媒体を下流側に向けて給送することにより、最上位の媒体が前記間口規制部に対する付勢力に抗して該間口規制部と前記給送間口との間を通り、分離が行われる構成であることを特徴とするものである。
【００２２】
本態様によれば、前記分離機構によって最上位の媒体が分離されるとともに下流側へ給送されて、第１の態様と同様の作用効果を得ることができる。
【００２３】
本発明の第９の態様に係る記録装置は、第１の態様から第８の態様のいずれかにおいて、前記搬送ローラー対の駆動を停止させた状態で、前記媒体の先端を前記搬送ローラー対のニップ部に移動させることを特徴とするものである。
【００２４】
本態様によれば、駆動が停止した状態の前記搬送ローラー対のニップ部に前記媒体の先端が倣い、より確実に該媒体のスキューを矯正することができる。以って、前記媒体の姿勢を安定させて搬送することができる。
【図面の簡単な説明】
【００２５】
【図１】本発明の一実施例に係るプリンターの装置本体を表す斜視図。
【図２】本発明の一実施例に係るプリンターの媒体搬送経路を示す側断面図。
【図３】本発明の一実施例に係るプリンターの要部拡大図。
【図４】本発明の一実施例に係る分離機構について説明する図であり、（Ａ）は分離前の状態を示す図、（Ｂ）は最上位の用紙を規制部よりも上流側へ給送した状態を示す図。
【図５】本発明の一実施例に係る分離機構について説明する図であり、（Ａ）は分離された用紙が規制部を乗り越えた状態を示す図、（Ｂ）は分離された用紙が搬送ローラー対のニップ部に移動した状態を示す図。
【図６】本発明の他の実施例に係るプリンターの要部拡大図。
【図７】本発明の他の実施例に係る分離機構について説明する図であり、（Ａ）は分離前の状態を示す図、（Ｂ）は最上位の用紙を規制部よりも上流側へ給送した状態を示す図。
【図８】本発明の他の実施例に係る分離機構について説明する図であり、（Ａ）は分離された用紙が規制部を乗り越えた状態を示す図、（Ｂ）は分離された用紙が搬送ローラー対のニップ部に移動した状態を示す図。
【図９】本発明の更に他の実施例に係る分離機構について説明する図であり、（Ａ）は分離前の状態を示す図、（Ｂ）は最上位の用紙が分離される様子を示す図。
【図１０】プリンターの給紙トレイにセットされる用紙を分離する場合の一例を示す図。
【発明を実施するための形態】
【００２６】
以下において、本発明の一実施形態に係る記録装置について、添付図面を参照して説明する。尚、本発明はこれらによって制約されるものではない。
【００２７】
［実施例１］
本実施例では、記録装置の一例としてインクジェット式プリンターを例に挙げる。  
図１は、本発明の一実施例に係るプリンターの装置本体を表す斜視図である。図２は、本発明の一実施例に係るプリンターの媒体搬送経路を示す側断面図である。図３は、本発明の一実施例に係るプリンターの要部拡大図である。図４は、本発明の一実施例に係る分離機構について説明する図であり、（Ａ）は分離前の状態を示す図、（Ｂ）は最上位の用紙を規制部よりも上流側へ給送した状態を示す図である。図５は、本発明の一実施例に係る分離機構について説明する図であり、（Ａ）は分離された用紙が規制部を乗り越えた状態を示す図、（Ｂ）は分離された用紙が搬送ローラー対のニップ部に移動した状態を示す図である。
【００２８】
また、各図において示すＸ−Ｙ−Ｚ座標系は、Ｘ方向が記録ヘッドの走査方向、Ｙ方向が記録装置の奥行き方向である。Ｚ方向は重力方向である。尚、各図の説明において、＋Ｙ方向を装置前面側とし、−Ｙ方向側を装置背面側とする。＋Ｘ側が装置前面から見て右側であり、−Ｘ側が装置前面から見て左側である。また、＋Ｚ方向を装置上方側とし、−Ｚ方向側を装置下方側とする。
【００２９】
まず、本発明の一実施例に係るインクジェット式プリンター１０（以下、プリンター１０と称する）の概略を、図１および図２に基づき、媒体搬送経路に沿って説明する。  
図１に示すプリンター１０は、記録部としての記録ヘッド２８と対向するときに用紙Ｐがほぼ水平方向に搬送される横置き配置と、記録ヘッド２８と対向するときに用紙Ｐがほぼ鉛直方向に搬送される縦置き配置とを選択可能なものである。  
以下においては、壁掛け等のような縦置き配置の場合を例にとり説明する。
【００３０】
プリンター１０において用紙Ｐは、図１の−Ｚ方向、すなわち、鉛直方向下方へ搬送される構成である。尚、以下において、プリンター１０において媒体が搬送されていく方向を「下流」といい、これと反対の方向を「上流」という場合がある。
【００３１】
図１に示すプリンター１０は、プリンター本体１２を備え、プリンター本体１２の設置面１３を室内の壁等に面するように取り付けることができるように構成されている。  
プリンター本体１２の上方側（＋Ｚ方向側）には、複数枚の用紙Ｐをセット可能な媒体トレイ１４が設けられており（図２）、媒体トレイ１４を構成するホッパー１６（図２）に用紙Ｐがセットされて支持される。縦置き配置にした場合には、用紙Ｐはほぼ鉛直に近い姿勢となる。ホッパー１６の用紙搬送方向上流側（＋Ｚ側）には、ホッパー１６によって支持されていない用紙Ｐの後端側を支持する支持部材としてのペーパーサポート１８を備えている。
【００３２】
図２に示すホッパー１６は、用紙Ｐのセット面１６ａが給送ローラー２０に対して進退するように揺動可能に設けられているとともに、付勢手段１７によって給送ローラー２０側に付勢されている。  
また、セットされた用紙Ｐの先端（下流側端部）側には、給送ローラー２０により媒体トレイ１４からピックアップされた用紙Ｐを、最上位の一枚に分離する分離機構としての規制部５０が設けられている。規制部５０は、用紙Ｐの先端を押さえて用紙Ｐの下流側への移動を規制している。
【００３３】
ホッパー１６に複数枚セットされた用紙Ｐは最上位の用紙Ｐが給送ローラー２０と接し、不図示のモーターによって駆動される給送ローラー２０の回転によりピックアップされ、最上位の用紙Ｐが規制部５０を乗り越えることによって最上位の一枚に分離されて搬送方向下流に向けて移動する。給送ローラー２０による用紙Ｐのピックアップと規制部５０による用紙Ｐの分離については後に詳述する。
【００３４】
搬送方向上流側から送られる用紙Ｐは、搬送ローラー対２２によって、記録部としてのインクジェット記録ヘッド２８（以下、記録ヘッド２８）と対向する記録位置に搬送される。搬送ローラー対２２は、不図示のモーターによって回転駆動される搬送駆動ローラー２４と、搬送駆動ローラー２４との間で用紙Ｐをニップして従動回転する搬送従動ローラー２６とを備えている。
【００３５】
記録ヘッド２８はキャリッジ３０に設けられている。キャリッジ３０は、インクを記録ヘッド２８に供給するためのインクカートリッジ３２を搭載するとともに、不図示のモーターからの動力を受け、用紙Ｐの幅方向（Ｘ軸方向）に往復動する。
【００３６】
記録ヘッド２８（図２）と対向する側（記録ヘッド２８の−Ｙ側）には、記録ヘッド２８のインク吐出面と用紙Ｐとの間のギャップを規定するプラテン３４が設けられている。記録ヘッド２８とプラテン３４との間において、用紙Ｐ等の媒体に記録ヘッド２８からインクを吐出することによって記録が実行される。
【００３７】
記録ヘッド２８の搬送方向下流側には、記録後の用紙Ｐを排出する排出手段３６が設けられている。本実施例において排出手段３６は、排出駆動ローラー３８と、排出駆動ローラー３８との間で用紙Ｐを挟んで従動回転する排出従動ローラー４０とによって構成されている。排出手段３６の下流側（−Ｚ方向側）には、排出手段３６から排出される用紙Ｐを受けて載置する排出スタッカー４２が設けられている。
【００３８】
以上がプリンター１０を縦置き配置した場合の媒体搬送経路である。プリンター１０を縦置き配置する場合には、用紙Ｐはほぼ鉛直方向下方に向けて搬送されて排出されるように構成されている。  
尚、プリンター１０の設置面１３を机上等の水平面に置いて使用する横置き配置の場合も、用紙Ｐは同様の搬送経路を通って記録が実行されて排出手段３６から排出される。この場合には、用紙Ｐはほぼ水平方向に向けて搬送されることとなる。
【００３９】
次に、媒体トレイ１４にセットされた用紙Ｐの給送ローラー２０によるピックアップ動作と、規制部５０による用紙Ｐの分離について、図３〜図５を用いて更に詳細に説明する。  
本実施例において給送ローラー２０は、用紙Ｐと接触して用紙Ｐを送る円弧部４４と、用紙Ｐと接しない平坦部４６とを備え、側面視略Ｄ形の形状をしている。給送ローラー２０は回転し、用紙Ｐと接触する円弧部４４によって用紙Ｐをピックアップして給送することができる。また、図３のように平坦部４６が用紙Ｐと対向する位置にあるときには用紙Ｐと接しないので、給送ローラー２０による用紙Ｐの給送は解除される。
【００４０】
また、規制部５０は、給送ローラー２０により媒体トレイ１４からピックアップされた用紙Ｐを、最上位の一枚に分離する分離機構としての機能を果たすものであり、媒体トレイ１４にセットされた用紙Ｐの先端を押さえ、用紙Ｐの下流側への移動を規制している（図３を参照）。
【００４１】
ここで、規制部５０は、給送ローラー２０が用紙Ｐを上流側、すなわち上方（＋Ｚ側方向）に向けて給送することにより、最上位の用紙Ｐ１が規制部５０を乗り越えて分離が行われるように構成されている。
【００４２】
図を参照してより具体的に説明すると、図４（Ａ）に示すように、複数の用紙Ｐがセットされたホッパー１６が付勢部材１７によりホッパーアップされて、用紙Ｐのうち、最上位の用紙Ｐ１が給送ローラー２０の円弧部４４と接触する。  
給送ローラー２０を矢印Ａ方向に回転させ、最上位の用紙Ｐ１を上流側（図において上方側）に給送する。給送ローラー２０による給送により最上位の用紙Ｐ１を、規制部５０による規制を受けなくなるまで、すなわち、セットされた用紙Ｐと規制部５０が重なる部分の長さＬを超える距離を上流側へ移動させる［図４（Ｂ）を参照］。
【００４３】
図５（Ａ）に示すように、給送ローラー２０の平坦部４６が用紙Ｐと対向する位置まで矢印Ａ方向に回転させると、給送ローラー２０と最上位の用紙Ｐ１との接触が解除される。すなわち、給送ローラー２０によるピックアップ動作が解除される。そして、最上位の用紙Ｐ１が規制部５０を乗り越えて他の用紙Ｐと分離される。
【００４４】
規制部５０の上流側端部は、媒体トレイ１４からピックアップされた最上位の用紙Ｐ１の先端が規制部５０を乗り越えるように案内する傾斜面５２に形成されている。  
傾斜面５２によって最上位の用紙Ｐ１の先端が規制部５０に引っ掛かる虞を抑制し、用紙Ｐ１をスムースに乗り越えさせることができる。尚、傾斜面５２を設ける場合、規制部５０の形状は図３のような側面視が台形になる形状に限られず、例えば、規制部５０の上流側端部から下流側端部まで傾斜面にして、側面視が三角形になる形状とすることもできる。
【００４５】
規制部５０を乗り越えた最上位の用紙Ｐ１は、給送ローラー２０と接触しないフリーの状態であり、自重により下方側（−Ｚ側）の搬送ローラー対２２のニップ位置４８まで移動する［図５（Ｂ）を参照］。  
そして用紙Ｐ１は、搬送ローラー対２２（搬送駆動ローラー２４と搬送従動ローラー２６）にニップされて下流側の記録ヘッド２８の記録位置まで搬送されて、記録が実行される。
【００４６】
以上説明した本実施形態の規制部５０によれば、最上位の用紙Ｐ１を規制部５０で分離した後、用紙Ｐ１の先端の搬送ローラー対２２のニップ位置４８までの移動を、給送ローラー２０によらず、用紙Ｐ１の自重により行うので、給送ローラー２０による給送距離を少なくすることができる。  
より具体的には、給送ローラー２０による給送は、最上位の用紙Ｐ１が規制部５０を乗り越えさせる分だけ、すなわち、媒体トレイ１４にセットされた用紙Ｐと規制部５０が重なる部分の長さＬ［図４（Ｂ）を参照］を超える距離で足りる。  
給送ローラー２０による給送距離を短くすることにより、給送ローラー２０の給送に基づく用紙Ｐのスキューの発生を抑制または回避することができる。
【００４７】
尚、用紙Ｐ１の先端を搬送ローラー対２２のニップ部４８に移動させる際には、搬送ローラー対の駆動を停止させた状態とすることが望ましい。  
駆動が停止した状態の搬送ローラー対２２のニップ部４８に、用紙Ｐ１を自重による勢いがついた状態で突き当てることにより、用紙Ｐ１の先端がニップ部４８に倣い、容易に用紙Ｐ１のスキューを矯正することができる。以って、用紙Ｐ１の姿勢をより安定させた状態で搬送ローラー対２２による搬送を行うことができる。  
またその際、搬送ローラー対２２の上流側近傍に用紙端を検出するセンサーを設けることによって、ニップ部４８に用紙Ｐ１が到達したことを検知し、搬送ローラー対２２を駆動させるとともに、記録ヘッド２８による記録動作を開始するようにすることができる。
【００４８】
また、前述のように給送ローラー２０による給送は、最上位の用紙Ｐ１が規制部５０を乗り越えさせる距離［図４（Ｂ）に示す用紙Ｐと規制部５０が重なる長さＬを超える距離］でよい。  
長さＬを短くすることによって、給送ローラー２０を小型化することができ、以ってプリンター１０の小型化を図ることができる。
【００４９】
加えて、規制部５０によって媒体トレイ１４にセットされる用紙Ｐの先端を押さえるので、本実施例のように媒体トレイ１４の姿勢がほぼ鉛直姿勢な場合でも、セットされた用紙Ｐの先端が下方側に崩れるように移動する「雪崩れ現象」が生じる虞を抑制または回避することができる。  
尚、媒体トレイにおける「雪崩れ現象」は、媒体トレイの姿勢が鉛直姿勢の場合に限らず、急な傾斜姿勢な場合にも起こり得る。本実施例ではプリンター１０を縦置き配置にした場合について説明したが、横置き配置のプリンターにおいて奥行方向の省スペース化のため、媒体トレイの姿勢を急傾斜に構成する場合がある。このような場合にも本発明は有効である。
【００５０】
［実施例２］
実施例３では図６〜図８に基づき、本発明に係る記録装置の他の実施例について説明する。図６は、本発明の他の実施例に係るプリンターの要部拡大図である。図７は、本発明の他の実施例に係る分離機構について説明する図であり、（Ａ）は分離前の状態を示す図、（Ｂ）は最上位の用紙を規制部よりも上流側へ給送した状態を示す図である。図８は、本発明の他の実施例に係る分離機構について説明する図であり、（Ａ）は分離された用紙が規制部を乗り越えた状態を示す図、（Ｂ）は分離された用紙が搬送ローラー対のニップ部に移動した状態を示す図である。  
本実施形態において実施例１と同一の構成については同一の符号を付し、その構成の説明は省略する。
【００５１】
本実施例に係るプリンター６０の給送ローラー６２は、給送ローラー６２よりも下流側に設けられる揺動軸６４ａを中心に揺動し、用紙Ｐに対して進退可能な揺動アーム６４に設けられている。また、給送ローラー６２は、駆動源６６の動力を受けて回転するように構成されている。具体的には、揺動軸６４ａと同軸に駆動源６６の動力により回転する第１歯車６８が設けられており、第２歯車７０、第３歯車７２を介して給送ローラー６２に駆動源６６の動力が伝達されるように構成されている。
【００５２】
本実施例においても、媒体トレイ１４にセットされた用紙Ｐを給送ローラー６２が上流側、すなわち上方（＋Ｚ側方向）に向けて給送することにより、最上位の用紙Ｐ１が規制部５０を乗り越えて分離が行われるように構成されている。
【００５３】
図を参照してより給送ローラー６２の動作を説明する。図７（Ａ）に示すように、複数の用紙Ｐがセットされたホッパー１６が付勢部材１７によりホッパーアップされるとともに、給送ローラー６２が用紙Ｐに近づく方向に揺動アーム６４を揺動し、最上位の用紙Ｐ１が給送ローラー６２と接触する。  
続いて、駆動源６６を駆動して給送ローラー６２を矢印Ｂ方向に回転させ、最上位の用紙Ｐ１を上流側（図において上方側）に給送する。給送ローラー６２による給送により最上位の用紙Ｐ１を、セットされた用紙Ｐと規制部５０が重なる部分の長さＬを超える距離を上流側へ移動させる［図７（Ｂ）を参照］。
【００５４】
用紙Ｐ１の先端が規制部５０よりも上流側まで給送された後、駆動源６６の駆動を停止するとともに、図８（Ａ）に示すように、給送ローラー６２が用紙Ｐから離れる方向に揺動アーム６４を揺動し、給送ローラー６２と最上位の用紙Ｐ１との接触を解除する。最上位の用紙Ｐ１は規制部５０を乗り越えて他の用紙Ｐと分離される。
【００５５】
規制部５０を乗り越えフリーの状態となった最上位の用紙Ｐ１は、自重により下方側（−Ｚ側）の搬送ローラー対２２のニップ位置４８まで移動する［図８（Ｂ）を参照］。
【００５６】
以上のように、給送ローラー６２を、最上位の用紙Ｐ１が規制部５０を乗り越えるまで駆動源６６を駆動し、用紙Ｐ１が規制部５０を乗り越えた後に駆動源６６の駆動を停止して媒体トレイ１４にセットされた用紙Ｐをピックアップすることにより、最上位の用紙Ｐ１を分離した後に、用紙Ｐ１を自重により搬送ローラー対２２のニップ位置４８まで移動させることができるので、給送ローラー６２による給送距離が少なくなり、実施例１と同様の作用効果が得られる。
【００５７】
また、本実施形態において、揺動アーム６４の揺動軸６４ａが給送ローラー６２よりも下流側に設けられているので、給送ローラー６２が用紙Ｐを上流側に向けて給送するときに、給送ローラー６２の用紙Ｐに対する押し付け力をくさび効果により得ることができる。
【００５８】
揺動アーム６４には、給送ローラー６２が用紙Ｐに近づく方向に付勢する付勢部材を設けることもできる。このことにより、給送ローラー６２の用紙Ｐに対する押し付け力を補完することができる。
【００５９】
尚、本実施例では、給送ローラー６２の回転駆動を停止するとともに、給送ローラー６２を用紙Ｐから離れる方向に退避させることによってピックアップ動作を解除する場合について説明した。しかしながらこれに限られず、給送ローラー６２の回転駆動を停止した状態で退避させず、自重により下流側へ移動する用紙Ｐに給送ローラー６２が接したまま従動回転可能に構成することもできる。
【００６０】
用紙Ｐが、例えば厚紙等の重い媒体である場合には、その重い自重により給送ローラー６２の接触による負荷に抗して下流側へ移動することができる。このことによって、給送ローラー６２のピックアップ動作の解除を、駆動源６６の駆動の停止のみによって行うことができる。  
また、給送ローラー６２を用紙Ｐから離れる方向に退避させる場合には、給送ローラー６２を回転させたまま退避させても給送ローラー６２によるピックアップ動作を解除することができる。
【００６１】
［実施例３］
実施例３では図９に基づき、分離機構の他の実施例について説明する。図９は、本発明の更に他の実施例に係る分離機構について説明する図であり、（Ａ）は分離前の状態を示す図、（Ｂ）は最上位の用紙が分離される様子を示す図である。  
本実施形態において実施例１と同一の構成については同一の符号を付し、その構成の説明は省略する。
【００６２】
本実施例のプリンター８０は、図９（Ａ）に示すように、媒体トレイ１４の下流側に、セットされた用紙の先端の下流側への移動を押さえるストッパー７４が設けられている。用紙Ｐは、ストッパー７４と給送面７２との間の空間（符号８２）を通るように構成されている。この空間を給送間口８２と称する。  
更にプリンター８０は、給送間口８２を閉じるように付勢された間口規制部７６を備えている。符号７８は付勢部材である。
【００６３】
本実施形態における分離機構は、給送ローラー８４を矢印Ｃ方向に回転させ、用紙Ｐを下流側に向けて給送することにより、図９（Ｂ）に示すように最上位の用紙Ｐ１が付勢部材７８の付勢力に抗して間口規制部７６を矢印Ｄ方向に押し戻し、間口規制部７６と給送間口８２との間を通ることにより、分離が行われるように構成されている。間口規制部７６には、最上位の用紙Ｐ１が間口規制部７６とストッパー７４との間に入り易いように案内する案内面８６を形成することが望ましい。
【００６４】
用紙Ｐ１の先端が給送間口８２を通ると、給送ローラー８４と最上位の用紙Ｐ１との接触が解除され、用紙Ｐ１は自重によって搬送ローラー対２２のニップ位置４８まで移動する。
【００６５】
以上の構成により、分離機構によって最上位の用紙Ｐ１を分離した後に、用紙Ｐ１が自重により搬送ローラー対２２のニップ位置４８まで移動するので、給送ローラー８４による給送距離を少なくすることができ、実施例１と同様の作用効果が得られる。
【００６６】
尚、本実施例では給送ローラーとして、実施例１と同様の側面視略Ｄ形の形状の給送ローラー２０を用いる場合について説明したが、実施例２のような駆動源の駆動により回転する給送ローラーを用いることができるのは勿論である。
【００６７】
［実施例４］
実施例１〜実施例３では、プリンターに予め複数枚の用紙をセットする媒体トレイから用紙Ｐをピックアップする場合について説明したが、本発明は、図１０に示すように、複数枚の用紙Ｐをセット可能な給紙トレイから用紙Ｐをピックアップする場合にも適用できる。図１０は、プリンターの給紙トレイにセットされる用紙を分離する場合の一例を示す図である。
【００６８】
プリンター９０は、プリンター本体９２の下方側に内蔵されて用紙Ｐを収容する用紙トレイ９４を備えている。また、プリンター９０のプリンター本体９２の上方側には、装置外部から用紙を供給可能な給紙トレイ９６を備えている。
【００６９】
符号９６の一点鎖線で示す経路は、用紙トレイ９４から送られる用紙Ｐの搬送経路９６である。用紙Ｐは、用紙トレイ９４から−Ｙ方向側に送られ、湾曲した経路を通った後に搬送ローラー対１００によって＋Ｙ方向側にある記録部１０２に向けて搬送されるように構成されている。記録部１０２において記録が行われた後、排出ローラー対１０４によって記録後の用紙Ｐが排出される。
【００７０】
符号１０６の破線で示す経路は、給紙トレイ９６から送られる用紙Ｐ２の搬送経路９６である。用紙Ｐ２の搬送経路９６は、搬送ローラー対１００の位置で用紙トレイ９４から送られる用紙Ｐの搬送経路９６と合流するように構成されている。
【００７１】
給紙トレイ９６は複数枚の用紙Ｐ２をセット可能に構成されており、複数枚の用紙Ｐ２を一枚ずつピックアップするための給送ローラー１０８が設けられている。また、給紙トレイ９６の下流側端部には、用紙Ｐ２の先端の下流側への移動を規制するとともに、給送ローラー１０８によって給送される用紙Ｐ２を最上位の一枚に分離する規制部１１２が設けられている。
【００７２】
給送ローラー１０８は矢印Ｅ方向に回転して給紙トレイ９６にセットされた用紙Ｐ２を上流側へ送る。最上位の一枚が規制部１１２を乗り越えると、最上位の一枚と給送ローラー１０８の接触が解除され、用紙は自重により搬送ローラー対１００のニップ位置１１０まで移動する。  
以上の構成により、本実施形態においても実施例１と同様の作用効果を得ることができる。
【００７３】
尚、上記実施例において、搬送ローラー対２２、搬送ローラー対１００としては、所謂、ＳＭＡＰローラーの他、ＳＭＡＰローラーの上流側に設けられてスキューを補正する役割を果たすローラー（レジストローラー）であってもよい。  
本発明は上記実施例に限定されることなく、特許請求の範囲に記載した発明の範囲内で種々の変形が可能であり、それらも本発明の範囲内に含まれるものであることは言うまでもない。
【符号の説明】
【００７４】
１０  プリンター、１２  プリンター本体、１４  媒体トレイ、
１６  ホッパー、１６ａ  セット面、１７  付勢手段、１８  ペーパーサポート、
２０  給送ローラー、２２  搬送ローラー対、２４  搬送駆動ローラー、
２６  搬送従動ローラー、２８  記録ヘッド、３０  キャリッジ、
３２  インクカートリッジ、３４  プラテン、３６  排出手段、
３８  排出駆動ローラー、４０  排出従動ローラー、４２  排出スタッカー、
４４  円弧部、４６  平坦部、４８  ニップ位置、５０  規制部、５２  傾斜面、
６０  プリンター、６２  給送ローラー、６４  揺動アーム、６４ａ  揺動軸、
６６  駆動源、６８  第１歯車、７０  第２歯車、７２  第３歯車、
７４  ストッパー、７６  間口規制部、７８  付勢部材、
８０  プリンター、８２  給送間口、８４  給送ローラー、
９０  プリンター、９２  プリンター本体、９４  用紙トレイ、９６  給紙トレイ
９８  搬送経路、  １００  搬送ローラー対、１０２  記録部、
１０４  排出ローラー対、１０６  搬送経路、  １０８  給送ローラー、
１１０  ニップ位置、１１２  規制部
Ｐ、Ｐ１、Ｐ２  用紙
【図１】
0006525135.tif 000002
【図２】
0006525135.tif 000003
【図３】
0006525135.tif 000004
【図４】
0006525135.tif 000005
【図５】
0006525135.tif 000006
【図６】
0006525135.tif 000007
【図７】
0006525135.tif 000008
【図８】
0006525135.tif 000009
【図９】
0006525135.tif 000010
【図１０】
0006525135.tif 000011